(57)【要約】      （修正有）【課題】撮影の目的や場所によって異なる個別の要望にも応じることができ、立体感や臨場感と共に、ハンドメイドの温かみを得ることができる、写真や映像を撮影する際に用いられる背景シートの作成方法を提供する。【解決手段】撮影の背景に使用されるシートの作成方法であって、任意の下地シートを選択又は作成する工程と、下地シートに、立体装飾部材を取り付けることで、立体シートを作成する工程と、立体シートに照明を当て、前記立体装飾部材によって陰影が生ずるように照明の位置を調整する工程と、照明が当てられた立体シートを撮影し、写真シートを作成する工程と、写真シートに、画像加工によって立体的要素を加えることで、背景シートデータを作成する工程と、背景シートデータに基づいて印刷する工程、から構成される。【選択図】図１
2019136272.tif 000002
【特許請求の範囲】
【請求項１】
撮影の背景に使用されるシートの作成方法であって、
任意の下地シートを選択又は作成する工程と、
前記下地シートに、立体装飾部材を取り付けることで、立体シートを作成する工程と、
前記立体シートに照明を当て、前記立体装飾部材によって陰影が生ずるように照明の位置を調整する工程と、
前記照明が当てられた立体シートを撮影し、写真シートを作成する工程と、
前記写真シートに、画像加工によって立体的要素を加えることで、背景シートデータを作成する工程と、
背景シートデータに基づいて印刷する工程、
から構成されることを特徴とする背景シートの作成方法。
【請求項２】
立体シートを作成する工程において、
下地シートと立体装飾部材の間に、スペーサー部材を介在させて貼り付けることを特徴とする請求項１に記載の背景シートの作成方法。
【請求項３】
立体シートを作成する工程において、
吊下部材を用いて立体装飾部材を吊るすことを特徴とする請求項１に記載の背景シートの作成方法。
【請求項４】
下地シートに、立体装飾部材が複数取り付けられる構成であって、
下地シートと立体装飾部材との取り付けられた距離が、一部又は全部について異なる構成であることを特徴とする請求項１〜３のいずれかに記載の背景シートの作成方法。
【請求項５】
立体装飾部材が、下地シートの端部より外に及んで取り付けられ、この状態で写真シートを作成することを特徴とする請求項１〜４のいずれかに記載の背景シートの作成方法。
【請求項６】
背景シートが、ランチョンマットであることを特徴とする請求項１〜５に記載された背景シートの作成方法。
【請求項７】
背景シートが、写真又は映像撮影用の背景シートであることを特徴とする請求項１〜５に記載された背景シートの作成方法。
【請求項８】
請求項１〜７に記載された方法により作成された背景シート。
【発明の詳細な説明】
【技術分野】
【０００１】
本発明は、背景シートの作成方法に関し、詳しくは、写真撮影用の後景となるポスター、バックボード、ランチョンマット等に用いられる背景シートの作成方法に関する。
【背景技術】
【０００２】
人物等を写真又は映像として撮影する際に、スタジオ等では布製や紙製の背景が用意され、祝賀会等の宴会の場では屏風等が用意されることがある。
しかし、これら撮影用の背景体では、撮影の目的や場所に応じた個別の要望に応えることができず、オリジナリティがない。また、布や紙といった平面状の物体に、無地又は文字や絵画が表された構成に過ぎず、立体感や臨場感が欠如し、撮影後の写真や映像を観れば、その背景がありふれた撮影用の背景体であることは明らかである。
【０００３】
撮影用の背景ではないが、印刷された絵画に立体感を出すための技術として、特許文献１が開示されている。
特許文献１に記載の技術は、「下絵をモノクロ複写機にてコピーして台紙を作成し、コピートナーの黒色部分を生かして、色鉛筆、クレヨン等の着色材料にて下地塗りを行い、ポスターカラー、油性ペイント、修正液等の水性、油性の性質の異なる種々の材料で図柄の着色に変化をつけ、最後に蛍光ペンで絵柄の全体または一部分に着色材料を伸ばす」という構成である。
【０００４】
この技術によれば、「コピー用トナーが台紙に染み込み、これにより黒色に着色されたバックと図柄の筆跡に合わせて塗られた蛍光ペンの色合いにより、図柄が浮き上がって見えるだけでなく、コントラストを調整することにより、油絵のような立体感をだすことが可能となる」ということである。
【０００５】
しかし、この技術では、図柄が浮き上がって見えるためには、図柄へ着色する工程において高度な技術を必要とし、上手く着色できたとしても、得られる立体感は十分でないという問題があった。
【先行技術文献】
【特許文献】
【０００６】
【特許文献１】特開平９−２３５０００
【発明の概要】
【発明が解決しようとする課題】
【０００７】
そこで、本発明の課題は、撮影の目的や場所によって異なる個別の要望にも応じることができ、立体感や臨場感と共に、ハンドメイドの温かみを得ることができる、写真や映像を撮影する際に用いられる背景シートの作成方法を提供することにある。
【課題を解決するための手段】
【０００８】
上記本発明の課題は、下記の手段により達成される。
１．撮影の背景に使用されるシートの作成方法であって、
任意の下地シートを選択又は作成する工程と、
前記下地シートに、立体装飾部材を取り付けることで、立体シートを作成する工程と、
前記立体シートに照明を当て、前記立体装飾部材によって影が生ずるように照明の位置を調整する工程と、
前記照明が当てられた立体シートを撮影し、写真シートを作成する工程と、
前記写真シートに、画像加工によって立体的要素を加えることで、背景シートデータを作成する工程と、
背景シートデータに基づいて印刷する工程、
から構成されることを特徴とする背景シートの作成方法。
【０００９】
２．立体シートを作成する工程において、
下地シートと立体装飾部材の間に、スペーサー部材を介在させて貼り付けることを特徴とする請求項１に記載の背景シートの作成方法。
【００１０】
３．立体シートを作成する工程において、
吊下部材を用いて立体装飾部材を吊るすことを特徴とする請求項１に記載の背景シートの作成方法。
【００１１】
４．下地シートに、立体装飾部材が複数取り付けられる構成であって、
下地シートと立体装飾部材との取り付けられた距離が、一部又は全部について異なる構成であることを特徴とする請求項１〜３のいずれかに記載の背景シートの作成方法。
【００１２】
５．立体装飾部材が、下地シートの端部より外に及んで取り付けられ、この状態で写真シートを作成することを特徴とする請求項１〜４のいずれかに記載の背景シートの作成方法。
【００１３】
６．背景シートが、ランチョンマットであることを特徴とする請求項１〜５に記載された背景シートの作成方法。
【００１４】
７．背景シートが、写真又は映像撮影用のバックパネルであることを特徴とする請求項１〜５に記載された背景シートの作成方法。
【００１５】
８．請求項１〜７に記載された方法により作成された背景シート。
【発明の効果】
【００１６】
上記１に示す発明によれば、撮影の目的や場所によって異なる個別の要望にも応じるべく、下地シートや立体装飾部材の選択により、容易にデザインを変更することができる。
また、下地シートに、立体的な形態を有する立体装飾部材を取り付け、これに照明を当てることで陰影が表れ、更に画像加工によって立体的要素を加えるので、立体感や臨場感を有する背景シートの作成方法を提供することができる。
更にまた、立体装飾部材を取り付けるという手作業が介在することによりハンドメイドの温かみを有する背景シートの作成方法を提供することができる。
【００１７】
上記２に示す発明によれば、下地シートと立体装飾部材の間にスペーサー部材を介在させ、立体装飾部材を浮かせるため、照明によって得られる陰影がより強調される。また、スペーサー部材の厚みを調整することで、立体装飾部材の浮遊感を調整することができる。
【００１８】
上記３に示す発明によれば、下地シートから立体装飾部材を、糸等の吊下部材を用いて吊るす構成であるため、照明によって得られる陰影がより強調され、浮遊感を得ることで、立体感や臨場感を有する背景シートを得ることができる。また、糸の長さ等を調整することで、立体装飾部材の浮遊感を調整することができる。
【００１９】
上記４に示す発明によれば、下地シートと立体装飾部材との取り付けられた距離が、一部又は全部について異なる構成である。陰影の長さは、下地シートと立体装飾部材の距離
によって異なるため、この距離を変え、不規則とすることで、より臨場感のある立体的な背景シートの作成方法を提供することができる。
【００２０】
上記５に示す発明によれば、立体装飾部材が、下地シートの端部より外に及んで取り付けられた構成、即ち、下地シートの端部からはみ出した構成なので、得られた背景シートに広がりが感じられる。なお、はみ出した部分については、画像加工や印刷の工程においてトリミングを行う。
【００２１】
上記６に示す発明によれば、背景シートの利用態様として、ランチョンマットを挙げることができる。
この背景シートをランチョンマットとして利用することにより、ＳＮＳ上で食事内容の写真を公開する際に、テーブルや他の家具等が写りこむのを防止することができる。
【００２２】
上記７に示す発明によれば、背景シートの利用態様として、写真又は映像撮影用の背景シートを挙げることができる。
この背景シートを写真又は映像撮影時の背景として利用することにより、例えば、家庭内において、片付けが十分でない室内の様子等を目隠ししつつ、撮影することができる。
【００２３】
上記８示す発明によれば、立体感や臨場感と共に、ハンドメイドの温かみをも兼ね備えた背景シートを提供することができる。
【図面の簡単な説明】
【００２４】
【図１】本発明に係る背景シートの作成方法を表すフローチャート
【図２】下地シートを表す概略正面図
【図３】立体シートを表す概略正面図
【図４】スペーサー部材を使用した立体シートの概略側面図
【図５】吊下部材を使用した立体シートの概略側面図
【図６】立体シートに照明を照射した状態（写真シート）を表す概略正面図
【図７】本発明に係る背景シートの一実施例を背景として、被写体を撮影する様子を表す概略正面図
【発明を実施するための形態】
【００２５】
本発明に係る背景シート（以下、単に「背景シート」ともいう。）１は、写真や映像を撮影する際に、被写体（例えば、人物や動物。）の背景や後景として使用する紙状、布状又は薄板状の物品である。一般に、背景紙、背景布、背景幕、背景板又はバックペーパー等と呼称されることもある。
【００２６】
昨今、個人又は企業等の団体が、ＳＮＳ（social networking service）を利用して、インターネット上に写真を掲載・投稿する行為が多く見受けられる。
スマートフォンやモバイル機器の普及により、写真や映像を撮影することが身近となり、例えば、自身や友人の誕生日等イベントを記念して写真を撮影することや、日常的に子供やペットの写真を撮影することや、毎回の食事内容を写真撮影することが多くなっている。また、この撮影した写真等を、インターネット上に公開する事例も増えている。
【００２７】
他方、他人に公開しないまでも、子供や家族の記念日に、家庭内又は撮影スタジオ等を利用して、記念撮影をすることは従来から行われている。
【００２８】
上述のような写真や映像を撮影する際に、被写体となる人物、動物又は食事等の物体を撮影すると、その背景や後景も同時に撮影され、意図しないものが写りこむことがある
このような場合に、被写体の後ろに背景シートを設置すれば、意図しないものが写りこ
む心配がない。例えば、家庭内での撮影においては、部屋の片付けが十分でない場合に、その目隠しとして利用することができる。また、単なる目隠しに止まらず、誕生日等のイベントに即した背景シートを用いれば、思い出に残る記念写真や映像を撮影することができる。
本発明に係る背景シートは、上述のような場面で使用することができる。
【００２９】
本発明に係る背景シート１の作成方法について、工程順に説明する。
図１は、作成手順を表わしたフローチャートである。図１に示されるように、背景シート１の作成方法は、下地シート２を選択又は作成する工程、立体シート４を作成する工程、照明Ｌを照射・調整する工程、写真シート５を作成する工程、背景シートデータ６を作成する工程及びシートを印刷する工程に分けて説明することができる。
【００３０】
＜下地シート２を選択又は作成する工程＞
まず、予め用意された複数の下地シートから、任意の下地シート２を選択する。所望する下地シートがない場合は、この工程において、最適な下地シートを作成してもよい。
下地シート２は、無地のもの、色彩のみが施されたものの他、図２に示されるように、文字２１や図柄２２が印刷された紙状、布状又は薄板状の部材、換言すれば平面状のシートである。印刷や取り扱いの容易性を考慮すれば、紙状又は布状であることが好ましい。
【００３１】
下地シート２として、目的に即したデザインのものを、予め複数用意しておくことが好ましい。
例えば、誕生日の際に使用されることを想定した下地シート２であれば、文字２１として「Happy Birthday」等の文字を使用し、花、リボン、ケーキなど誕生日を連想させる図柄２２を表示することが挙げられる。その他、ハロウィンやクリスマスといった季節のイベントや、結婚や出産といった出来事を表現した下地シート２を用意することが好ましい。
【００３２】
＜立体シート４を作成する工程＞
次に、下地シート２に、立体装飾部材３を取り付ける。
立体装飾部材３とは、立体的の装飾部材である。例えば、花（生花、造花を問わない。）、リボン、フラッグ等のほか、文字や図柄を立体的に創作した部材を挙げることができる。
なお、紙や板からなる平面状の部材であっても、少なからず厚みは存在するため、これらも立体的装飾部材３に含まれる。例えば、文字が書かれた平面状の部材や、星や植物の形状に模られた平面状の部材を、立体装飾部材３として下地シート２に取り付けることができる。
【００３３】
図３に示されるように、下地シート２に立体装飾部材３が取り付けられたものが、立体シート４である。
立体装飾部材３の取り付け手段について限定はなく、この種の技術分野における公知・公用の取り付け手段を特別の制限なく採用することができる。例えば、接着やピン止めといった手段を挙げることができる。
【００３４】
図４に示されるように、立体装飾部材３を取り付ける際、下地シート２と立体装飾部材３の間に、スペーサー部材３１を介在させて貼り付けることが好ましい。これにより、下地シート２と立体装飾部材３の間に距離ができ、照明Ｌによって得られる陰影Ｓがより強調される。また、スペーサー部材３１の厚みを変えることで、下地シート２と立体装飾部材３との距離を調整し、立体装飾部材３の浮遊感を変化させることができる。
【００３５】
スペーサー部材３１は、立体装飾部材３よりも十分に小さいサイズとし、立体装飾部材
３を正面から観察した際に、スペーサー部材３１が視認できないことが好ましい。
また、下地シート２に、立体装飾部材３が複数取り付けられる場合は、それぞれの立体装飾部材３に介在するスペーサー部材３１の厚みについて、一部又は全部について異なる構成とすることが好ましい。陰影Ｓの長さは、下地シート２と立体装飾部材３の距離によって異なるため、この距離を変え、不規則とすることで、より臨場感のある立体的な背景シート１を作成することができる。
【００３６】
図５に示されるように、立体装飾部材３を取り付ける際、糸等の吊下部材３２を用いて、下地シート２から立体装飾部材３を吊下げて取り付けることが好ましい。これにより、照明Ｌによって得られる陰影Ｓがより強調され、浮遊感を得ることで、立体感や臨場感を有する背景シート１を得ることができる。また、吊下部材３２の長さを調整することで、立体装飾部材３の浮遊感を調整することができる。
【００３７】
背景シート１に視覚的な広がりを生じさせるため、立体装飾部材３は、下地シート２の端部より外に及んで取り付けられることが好ましい（図３参照。）。また、この状態で写真シート５を作成し、トリミング等の手段によって立体装飾部材３が下地シート２の端部において切断されることが好ましい。
【００３８】
＜照明Ｌを調整する工程＞
続いて、上述の要領で作成した立体シート４に照明Ｌを照射し、陰影Ｓを生じさせる。
図６に示されるように、立体シート４に対して１又は２以上の照明を照射し、陰影Ｓを生じさせる。陰影Ｓを効果的に生じさせるためには、立体シート４の側方から照明Ｌを照射することが好ましい。また、同じく陰影Ｓを効果的に生じさせるため、１方向から照明Ｌを照射することが好ましい。ただし、１方向から複数の照明Ｌで照射することを排除するものではない。
【００３９】
立体シート４の装飾によって、照明Ｌを当てる位置は調整することが好ましく、後述する写真シート５を作成する工程において、照明Ｌの位置を変えながら最も陰影Ｓが生ずる位置、即ち、立体感が得られる位置を探りながら調整することが好ましい。
【００４０】
＜写真シート５を作成する工程＞
続いて、上述の要領で照明Ｌを照射し、陰影Ｓが生じた立体シート４を写真撮影し、写真シート５を作成する。即ち、図６に示される状態（立体シート４に照明Ｌを照射した状態）を撮影したものが、写真シート５である。
写真撮影について、撮影方法や撮影に使用する機材等に限定はなく、公知公用の撮影方法・機材を特別の制限無く採用することができる。
【００４１】
＜背景シートデータを作成する工程＞
続いて、写真シート５に対し、画像加工によって立体的要素を加えることで背景シートデータ６（図示しない）を作成する。
画像加工の手段について限定はなく、公知公用の画像加工手段を特別の制限無く採用することができる。例えば、写真シートの画像データをコンピュータに取り込み、この画像データに、コンピュータによる画像加工（レタッチ）よって立体的要素を加える手段を挙げることができる。なお、この工程において、立体的要素を加えることの他、写真画像の色補正や汚れ等の除去や、下地シート２からはみ出した立体装飾部材４についてトリミングを行ってもよい。
【００４２】
ここでいう立体的要素とは、陰影Ｓや影線等によって、看者に対して立体的な印象を与える要素のことである。
なお、この立体的要素の付加は、立体装飾部材３の陰影Ｓ等に対して行われることに限
られず、下地シート２に描かれていた文字２１や図柄２２に対して、陰影Ｓや影線を付加することによって、立体感を付加することもできる。
【００４３】
上述の画像加工では、例えば、陰影Ｓの輪郭や色彩を強調させることや、陰影Ｓを大きくする又は陰影が伸びる方向に延長する等の手段を挙げることができる。また、照明Ｌの照射では、十分に陰影Ｓが表れなかった箇所に対して、新たに陰影Ｓを加える等しても良い。
なお、この画像加工は、後述する背景シート１を印刷する工程において行うこともできる。
【００４４】
＜背景シート１を印刷する工程＞
上述の要領で作成した背景シートデータ６に基づき、背景シート１を印刷する。
印刷手段について限定はなく、公知公用の印刷手段を特別の制限無く採用することができる。また、印刷の過程において、色校正等を確認し、再度画像加工（レタッチ）を行うこともできる。
【００４５】
印刷する背景シート１のサイズについても、限定はない。背景シート１の使用目的によって、任意のサイズに印刷することができる。なお、想定される使用目的については後述する。
サイズについて例示すると、Ａ０やＡ１といった規格のサイズや、ランチョンマットのサイズ等が考えられる。
【００４６】
＜背景シート１の使用例＞
本発明に係る背景シートの作成方法によって作成された背景シート１の用途について、以下に例示する。なお、本発明の用途は、以下に記載される場合に限定されるものではない。
【００４７】
背景シート１は、写真又は映像撮影用の背景として使用することができる。
図７は、被写体Ｍの後景として、背景シート１を使用した例である。この場合、背景シート１のサイズは、Ａ０サイズであることが好ましい。
被写体としては、人間の他、ペット等の動物が考えられる。
【００４８】
また、背景シート１は、ランチョンマットとして使用することができる。
食事を撮影して、ＳＮＳで公開する者も少なくないが、この際に、背景となるテーブル等の模様や汚れが気になる場合など、背景シート１をランチョンマットとして使用すれば、好みの写真を撮影することができる。
【００４９】
背景シート１のデザインとして、次のような題材を例示することができる。なお、以下のデザイン例示は、本発明の内容を限定するものではない。
【００５０】
例えば、季節的な題材であれば、お正月（例えば、年賀状用の写真撮影用。）、節分、ひな祭り、端午の節句、お月見、ハロウィン、クリスマスなどを挙げることができる。
また例えば、個人の記念日に由来する題材であれば、誕生日、結婚式又は結婚記念日などを挙げることができる。
また例えば、リゾートで撮影した雰囲気を演出したい場合は、海・砂浜や山間部の風景を題材としてもよいし、ランチョンマットとして使用する場合は、料理の内容に見合った後景（例えば、イタリア料理であればイタリア国旗など。）を採用してもよい。
【符号の説明】
【００５１】
１  背景シート
２  下地シート
２１  文字
２２  図柄
３  立体装飾部材
３１  スペーサー部材
３２  吊下部材
４  立体シート
５  写真シート
６  背景シートデータ
Ｌ  照明器具
Ｓ  陰影
Ｍ  被写体
【図１】
2019136272.tif 000003
【図２】
2019136272.tif 000004
【図３】
2019136272.tif 000005
【図４】
2019136272.tif 000006
【図５】
2019136272.tif 000007
【図６】
2019136272.tif 000008
【図７】
2019136272.tif 000009